(57)【要約】      （修正有）【課題】画像データを画像表示部上で容易に形状の範囲指定を行い、その範囲指定された画像を切り取り、形状補正、変倍、移動、回転の画像処理を行う機能を有する画像形成装置を提供する。【解決手段】各種複数の画像読み取り機能が一体化され、読み取った画像データを編集処理する画像形成装置であって、タッチパネル機能を有する画像表示部と、画像表示部上に表示された画像範囲を指定する書き込み手段と、書込み手段により範囲指定された画像の編集処理を行い、貼り付け先画像に貼り付ける処理機能を備える画像編集処理手段とを有する。【選択図】図１
2006262041.tif 000002
【特許請求の範囲】
【請求項１】
複数の画像読取り機能が一体化され、その複数の画像読取り機能を用いて読取った画像データを編集処理する画像形成装置であって、
タッチパネル機能を有する画像表示部と、
該画像表示部上に表示された画像範囲を指定する書込み手段と、
前記書込み手段により範囲指定された画像の編集処理を行い、貼り付け先画像に貼り付ける処理機能を備える画像編集処理手段と
を有することを特徴とする画像形成装置。
【請求項２】
請求項１に記載の画像形成装置において、
前記画像編集処理手段は、前記書込み手段で最初になぞった位置データとその後になぞった位置データとが一致すれば、画像範囲を決定してその画像を形状補正、変倍又は回転等の編集処理を行うことを特徴とする画像形成装置。
【請求項３】
請求項２に記載の画像形成装置において、
前記画像編集処理手段は、前記画像範囲を決定した後に、その画像の切り取りを行い画像データとして読取ることを特徴とする画像形成装置。
【請求項４】
請求項３に記載の画像形成装置において、
前記画像編集処理手段は、貼り付け先画像を選択して貼り付け先画像内で前記切り取られた画像を移動して編集処理を行うことを特徴とする画像形成装置。
【請求項５】
請求項４に記載の画像形成装置において、
前記貼り付け先画像は画像のない貼付け先を含むことを特徴とする画像形成装置。
【発明の詳細な説明】
【技術分野】
【０００１】
本発明は、複数の画像読取り機能が一体化され、その複数の画像読取り機能を用いて読取った画像データを編集処理する画像形成装置に関する。
【背景技術】
【０００２】
近年、画像形成装置には複写機、プリンタ、スキャナ、ファクシミリなどの機能が一体化した複合機が一般に普及してきている。それら画像形成装置において、取り込んだ画像データに対し、変倍、回転、合成処理等の画像処理を施して画像出力できる機能を備える複合機が普及してきている。
【０００３】
このように機器内に取り込んだ画像データに対し、画像処理を施す場合、ユーザができるだけ自由に画像データを編集できるようにしたいと考え、取り込んだ画像データの合成や部分的制御を用いた画像の編集機能が必要とされている。
【０００４】
原稿上から領域範囲指定して読み込んだ画像データを画像処理して蓄積し、所定の画像データの領域指定範囲に埋め込んで合成するという画像の処理機能が知られている（特許文献１参照）。
【０００５】
ベース原稿上に抽出した画像を合成処理して編集後の画像データを得ることが出来、位置ずれがないように指定領域に画像合成する処理機能が知られている（特許文献２参照）。
【０００６】
また、画像データ上に指定された座標ポイントを移動することによって画像データを移動させ、ポイント座標位置を修正し、座標指定により画像内のエリアを指定し画像処理を行い、画像上に配置する処理機能が知られている（特許文献３参照）。
【特許文献１】特開平３−１８０３０８号公報
【特許文献２】特開平１３−２２３８７９号公報
【特許文献３】特開平１４−２３２６８４号公報
【発明の開示】
【発明が解決しようとする課題】
【０００７】
しかしながら、上記処理機能は、画像の中から複雑な形状の画像を範囲指定すること、その範囲指定された画像を切り取り、形状補正、変倍、移動、回転の画像処理を行う機能を有していないため、ユーザができるだけ自由に画像を編集することができない問題がある。
【０００８】
本発明は、上記問題を解決するために、画像データを画像表示部上で容易に形状の範囲指定を行い、その範囲指定された画像を切り取り、形状補正、変倍、移動、回転の画像の処理機能を有する画像形成装置を提供することを目的とする。
【課題を解決するための手段】
【０００９】
上記課題を達成するため、請求項１に記載の発明は、各種複数の画像読取り機能が一体化され、その各種複数の画像読取り機能を用いて読取った画像データを編集処理する画像形成装置であって、前記画像形成装置はタッチパネル機能を有する画像表示部と、該画像表示部上に表示された画像範囲を指定する書込み手段と、前記書込み手段により範囲指定された画像の編集処理を行い、貼り付け先画像に貼り付ける処理機能を備える画像編集処理手段とを有することを特徴とする。
請求項２に記載の発明は、前記書込み手段により範囲指定された画像の編集処理機能は、最初の位置データが範囲指定の位置データと一致すれば画像範囲を指定して、その画像を形状補正、変倍又は回転等の編集処理を行うことを特徴とする。
請求項３に記載の発明は、前記画像範囲を指定した後に、範囲指定された画像の切り取りを行い画像データとして読取ることを特徴とする。
請求項４に記載の発明は、前記貼り付け先画像に貼り付ける処理機能は、貼り付け先画像を選択して貼り付け先画像内で範囲指定された画像を移動して編集処理を行うことを特徴とする。
請求項５に記載の発明は、前記貼り付け先画像は画像のない貼付け先を含むことを特徴とする。
【発明の効果】
【００１０】
本発明の画像形成装置は、前記画像編集処理手段を有することにより、画像表示部に表示された複雑な画像であっても、書込み手段で編集したい画像範囲を指定することで、画像編集範囲決定の簡略化、効率化、画像編集範囲をより自由な形に指定することができる。又、指定された画像編集範囲を決定した後、その画像の切り取りを行い画像データとして読取り、その画像データを形状補正、変倍、回転等の画像処理を行うことで、画像編集を効率的に自由に行うことができる。
【発明を実施するための最良の形態】
【００１１】
以下、図面を参照して本発明の最良の形態を詳細に説明する。図１は本発明の一例である実施形態としてデジタル複合複写機の画像形成装置の全体ブロック図である。図２は画像表示部上に表示された画像を書込み用ペンで範囲指定する概念図である。図３は書込み用ペンで範囲指定された画像を変倍、移動、回転させる画像処理の概念図である。図４は画像を範囲指定して、切り取った画像を編集する画像データの処理手順を示すフローチャートである。
【００１２】
本実施形態に係るデジタル複合複写機を図１を参照して説明する。図示のように、画像形成装置１００は、制御部１０１、画像読取り部１０２、画像処理部１０３、画像書込み部１０４、データ蓄積部１０５、また画面上でデータ操作を行える、例えば、液晶、有機ＥＬ等の表示装置のタッチパネル機能を持った画像表示部１０６、給紙部１０７、画像認識部１０８、例えば、スタイラスペン等の書込み手段１０９で構成されている。
【００１３】
該書込み手段１０９は、読取りモード又は書込みモードに切り替え可能な機能を備えている。両モードの切り替えは、例えば、該書込み手段１０９に備わるボタンの押下等の操作具で容易に行うことができる。あるいは、書込み手段１０９の代わりにキーボードを用いてもよい。
【００１４】
画像表示部１０６は、各液晶セルがマトリックス状に配列されている画像の表示部と、該画像の表示部の各ゲートラインと接続されるゲートパッド部、及び各データラインと接続されるデータパッド部とから構成される。データパッド部は、データドライバ集積回路から供給される画像データを画像の表示部の各データラインに供給することにより、画像が画像表示部１０６上に表示される。
【００１５】
画像表示部１０６（例えば、タッチパネル等）を書込み手段１０９で押すことによって、画像表示部１０６の上の基板が撓んでその押した所の透明電極が下基板の透明電極に接触し、そして、その接触点の位置が電気抵抗の測定によって検知されて入力情報が読取られる。
【００１６】
以上の構成において、画像形成は画像読取り部１０２が画像を読取り、画像処理部１０３へ画像データを転送する。画像処理部１０３で画像データに対して、画質調整や変倍処理などの処理を施し、画像書込み部１０４へ処理後のデータを転送する。画像書込み部１０４は、転送されてきた画像データを画像表示部１０６の各データラインに供給することにより、画像表示部１０６は供給された画像データを画像として表示する。
【００１７】
これらの動作は制御部１０１によって制御され、また給支部１０７の駆動も制御部１０１によって制御されている。また、画像表示部１０６からの指示情報も制御部１０１に伝えられ、該指示情報の処理を行い、画像表示部への指示は書込み手段１０９を用いて行う。
【００１８】
読込んだ画像データ、蓄積された画像データに対して、画像処理の設定がなされた場合、画像表示部１０６に表示された画像データに対して、読取モードの場合は、画像データ内の読取領域の範囲指定を書込み用のペン１０９で読取りたい領域を直接なぞる。
【００１９】
それにより、画像表示部１０６上のどこを選択したかを画像認識部１０８で画像表示部１０６上を座標化してなぞった位置、即ち、読取り範囲の位置データを取得し、画像認識部１０８で認識して画像読取り部１０２にて指定された範囲内の画像データを読取り、画像処理部１０３で、指定範囲の画像データの切り取り、形状補正、変倍、回転、移動等の画像処理を行い、画像データをデータ蓄積部１０５に保存することができる。
【００２０】
また、保存した画像データを読取先画像内又は別の画像内に合成し、書込み手段１０９で自由に配置指定ができる。書込みモードの場合は、画像表示部１０６上に表示された画像データに、書込み手段１０９で画像を直接書き入れ、画像認識部１０８で書き込んだ画像を認識し、データ蓄積部１０５に保存することができる。
【００２１】
この画像形成装置１００において、上記以外の画像読取方法として、プリンタ、スキャナ、ファクシミリ、カードインターフェースなど、様々な画像データの受信方法が考えられるが、いかなる画像入力手段を用いた場合でも、本発明を適用可能である。
【００２２】
本発明の画像形成装置１００は画像認識部１０８を備え、画像表示部１０６上に表示された画像の中から読取りたい領域の開始地点と終了地点とを書込み手段１０９を用いて範囲を指定するとで、読取領域の指定範囲として画像認識部１０８が読取る。
【００２３】
読み込んだ画像、蓄積された画像を操作する場合に、画像表示部１０６上に書込み手段１０９を用いて読取領域範囲指定された画像を、画像認識部１０８で認識し、画像処理部１０３によって画像分離、画像移動、画像処理を行う。また、編集した画像をデータ蓄積部１０５に記憶することができる。
【００２４】
画像処理部１０３は、画像認識部１０８が読取った画像に対して、全体の形状補正、変倍、回転等の画像処理を行う。また、それはいかなる形状の画像であっても画像処理を行う。
【００２５】
また、画像処理部１０３は、画像認識部１０８が読取った画像、または、その画像に対して画像処理を施した画像に対して、読取った先の画像内で自由に配置を変更するために移動、また別の画像内に合成して画像処理を施し、処理した画像をデータ蓄積部１０５に記憶する処理機能を備えている。
【００２６】
そして、前記画像形成装置１００は、画像表示部１０６に対して表示された画像に、書込み手段１０９で画像表示部１０６上に直接画像を書き込むことによって、画像認識部１０８でその画像を認識し、画像読取り部１０２で読取り、画像処理部１０３で上書き処理を行い、データ蓄積部１０５に記憶する。
【００２７】
図２の画像表示部上に表示された画像を書込み用ペンで範囲指定する概念図を説明する。前記画像表示部１０６（例えば、タッチパネル等）は、ガラス基板等の上部パネル層とタッチパネルを駆動する駆動部の下部パネル層から構成されている。
【００２８】
読取モードの場合、画像表示部１０６に表示された画像データに対して、画像データ内の読取りたい領域を書込み手段１０９で直接なぞることにより、読取領域の範囲指定が行える。
【００２９】
上部パネル層Ｐ１を書込み手段１０９でなぞることによって、画像表示部１０６の上基板の上部パネル層Ｐ２が撓んでそのなぞった所の透明電極が下基板の下部パネル層の透明電極に接触し、そして、その接触点の位置が電気抵抗の測定によって検知されて入力情報が読みとられ、該入力情報を制御部１０１に送る。
【００３０】
図３の書込み用ペンで範囲指定された画像を変倍、移動、回転させる概念図を説明する。前記制御部は入力情報を受け取ると、その情報を画像認識部１０８に送る。画像認識部１０８は画像表示部１０６上のどこを選択したかを、画像表示部１０６上のなぞった位置を座標化して位置データを読取る。
【００３１】
次に、画像読取り部１０２は範囲指定された位置データに基づき、画像表示部１０６上の画像データを読取り、画像処理部１０３は該画像データの切り取り、形状補正、変倍、回転、移動等の画像処理を行い、編集された画像データをデータ蓄積部１０５に保存する。
【００３２】
図４の画像を範囲指定して、切り取った画像を編集する画像データの処理手順を示すフローチャートを説明する。編集対象の画像データを選択して（Ｓ１）、画像表示部１０６上に表示された画像に対して、書込み用ペン１０９で編集を行う画像範囲を指定する（Ｓ２）。
【００３３】
前記書込み手段で最初になぞった位置データとその後になぞった位置データとが一致したか否かを判断して（Ｓ３）、ＹＥＳであれば、画像処理部１０３で範囲指定された画像データを取得して（Ｓ４）、ＮＯであればＳ２に戻りその処理をＹＥＳになるまで繰り返す。
【００３４】
次に、画像読取り部１０２で範囲指定された画像の切り取りを行い、画像データとして読取る（Ｓ５）。画像処理部１０３は読取られた画像データを形状補正、変倍又は回転等の編集処理（なお、切り取られた画像を単に移動する場合は画像処理を行わない。）を行い（Ｓ６）、そして、その編集処理された画像データを貼付け先の画像又は画像のない貼付け先を画像表示部１０６に表示させて選択を行う（Ｓ７）。
【００３５】
そして、前記画像処理部１０３は貼付け先の画像であるか否かを判断して（Ｓ８）、ＹＥＳであれば貼り付け先画像内で切り取り画像を移動させて貼り付け（Ｓ９）、画像のない貼付け先であれば（ＮＯの場合）貼り付け先の任意の位置に切り取り画像を貼り付ける（Ｓ１０）。
【００３６】
貼り付ける場所を画像表示部１０６上で決定する（Ｓ１１）。なお、画像書込み部１０４は画像処理部１０３で処理された画像データを画像表示部１０６に書込み画像を表示させる機能を備えている。
【００３７】
貼り付けられた画像の編集処理を更に行うか否かの判断を行い（Ｓ１２）、ＹＥＳであれば前記貼り付けられた画像の編集処理を行い（Ｓ１３）、その編集処理された画像データをデータ蓄積部１０５に蓄積して（Ｓ１４）画像処理を終了する。
【００３８】
ここで、上記Ｓ１からＳ１４までの画像の編集処理の処理手順を実行する手段を画像編集処理手段と呼ぶ。
【００３９】
上述した本発明の１実施形態は以下の効果を奏するものである。該１実施形態の前記画像編集処理手段は、画像表示部１０６に表示された複雑な画像であっても、編集したい画像範囲を書込み手段１０９でなぞることで、画像範囲をより自由な形に容易に指定することができる。
【００４０】
また、画像表示部１０６上で、画像範囲を決定した後に、その画像の切り取りを行い画像データとして読取り、その画像データを形状補正、変倍、回転等の画像処理を行うことで、画像編集を効率的に自由に行うことができる。
【図面の簡単な説明】
【００４１】
【図１】デジタル複合複写機の画像形成装置の全体ブロック図である。
【図２】画像表示部上に表示された画像を書込み用ペンで範囲指定する概念図である。
【図３】書込み用ペンで範囲指定された画像を変倍、移動、回転させる画像処理の概念図である。
【図４】画像を範囲指定して、切り取った画像を編集する画像データの処理手順を示すフローチャートである。
【符号の説明】
【００４２】
１００・・・画像形成装置、１０１・・・制御部、１０６・・・画像表示部、１０９・・・制御部。
【図１】
2006262041.tif 000003
【図２】
2006262041.tif 000004
【図３】
2006262041.tif 000005
【図４】
2006262041.tif 000006